(57)【特許請求の範囲】
【請求項１】
略円筒形の水道管本体部と、該水道管本体部から径方向の下方に膨出する夾雑物溜部とを備えた水道管における夾雑物捕集装置において、
前記水道管本体部の内壁面とで略円筒状の面を形成するように湾曲していると共に、前記夾雑物溜部を上方から覆う第１半円環状部材と、
前記水道管本体部と第１半円環状部材との間、あるいは、第１半円環状部材の少なくとも一方に形成され、前記夾雑物溜部に夾雑物が落下するのを許容する夾雑物落下孔と、
前記水道管本体部と第１半円環状部材との間、あるいは、第１半円環状部材の少なくとも一方に形成され、前記夾雑物落下孔から夾雑物溜部に落下した夾雑物が水道管本体部内に流れ出るのを抑制すると共に、流体が夾雑物落下孔から夾雑物溜部を経て水道管本体部内に流れ出るのを許容する流体通過孔とを備え、
前記第１半円環状部材は、前記水道管とは別体で、バネ性を有する金属板からなり、前記水道管に形成された装着凹部に、前記金属板のフランジ部が嵌合して装着されている水道管における夾雑物捕集装置。
【請求項２】
請求項１において、
前記第１半円環状部材に略平行で、かつ、第１半円環状部材よりも夾雑物溜部側に配設され、前記第１半円環状部材に対向する第２半円環状部材を備えていることを特徴とする水道管における夾雑物捕集装置。
【請求項３】
請求項１において、
前記第１半円環状部材は、前記水道管における上流の内壁面に連なっている水道管における夾雑物捕集装置。
【発明の詳細な説明】
【０００１】
【発明の属する技術分野】
本発明は、たとえば水道管のような流体管内を流れる流体中に含まれる夾雑物を捕集するための夾雑物捕集装置に関するものである。
【０００２】
【従来の技術】
水道管のような流水管内には、砂や錆粉、金属粉などの夾雑物が含まれていることがあり、そのため、従来より、かかる夾雑物を捕集して除去している。夾雑物の捕集装置としては、たとえば、流水管本体部から径方向に膨出する夾雑物溜部を設けると共に、該溜部にメッシュ状のフィルタを管軸方向に直交するように設けたものが知られている（たとえば、特開平７−１３６４２０号）。
【０００３】
【発明が解決しようとする課題】
ところで、水道管においては、配管工事後に、水道管内を洗浄するのであるが、この洗浄の際に水道管内にポリピグを通す。該ポリピグは、図８のように先端が円錐状の弾丸のような形状で、後方からの加圧流体により、水道管の内面に摺すれながら進む。しかし、前記従来技術では、メッシュ状のフィルタを管軸方向に直交するように設けているので、前記ポリピグが通らない。
また、流水管の中央部を径大に形成すると共に、該径大部を管軸方向に長く形成したものも知られているが、径大な部分が長すぎて、当該部分においてポリピグの外周に大きな隙間ができるため、ポリピグを加圧流体で前進させることができなくなる。
【０００４】
本発明は、前記従来の問題に鑑みてなされたもので、配管後にポリピグを通すことができる夾雑物捕集装置を提供することである。
【０００５】
【課題を解決するための手段】
前記目的を達成するために、本発明は、略円筒形の水道管本体部と、該水道管本体部から径方向に膨出する夾雑物溜部とを備えた水道管における夾雑物捕集装置において、水道管本体部の内壁面とで略円筒状の面を形成するように湾曲していると共に、夾雑物溜部を上方から覆う第１半円環状部材と、夾雑物落下孔から夾雑物溜部に落下した夾雑物が水道管本体部内に流れ出るのを抑制すると共に、流体が夾雑物落下孔から夾雑物溜部を経て水道管本体部内に流れ出るのを許容する流体通過孔とを備えている。
【０００６】
本発明によれば、夾雑物溜部が水道管本体部から膨出しているので、該溜部上方の水道管内においては流速が小さくなると共に、夾雑物が夾雑物落下孔から夾雑物溜部に落下して捕集される。一方、第１半円環状部は、水道管本体部の内壁面とで略円筒状の面を形成するように湾曲しているので、ポリピグを通すことができる。
【０００７】
【発明の実施の形態】
以下、本出願の第１発明の実施形態を図面にしたがって説明する。
図１および図２は第１実施形態を示す。
図１（ａ），（ｂ）に示すように、本夾雑物捕集装置は、水道管３と、第１および第２半円環状部材１，２とで構成されている。
【０００８】
水道管３は、たとえば一対のフランジ継手部３０，３０を両端に備えた略円筒形の本体部（水道管本体部）３１と、該本体部３１から径方向の下方に膨出する溜部（夾雑物溜部）３２とを備えた水道管である。前記溜部３２の下部には、溜部３２に溜まった夾雑物Ａを排出するためのドレン孔３３が連通している。なお、ドレン孔３３には、図示しない開閉弁を取り付ける。
【０００９】
前記第１および第２半円環状部材１，２は、それぞれ、水道管３とは別体のバネ性を有する金属板（たとえばステンレス板）で形成されており、図１（ａ）に明示するように、水道管３に形成した装着凹部３４，３５に、平板状のフランジ部１１、２１が嵌合して装着されている。前記第１半円環状部材１は、第２半円環状部材２よりも管軸方向に長く形成されている。前記第１半円環状部材１は、水道管３における上流の内壁面３６に連なっていると共に、水道管３の内壁面３６とで略円筒状の面を形成するように湾曲しており、溜部３２を上方から覆う。前記第２半円環状部材２は、第１半円環状部材１に略平行に対向していると共に、溜部３２に若干入り込んだ位置に配設されている。
【００１０】
前記第１半円環状部材１には、図２に明示するように、たとえばＨ型の孔１２が形成されている。一方、前記第２半円環状部材２には、たとえば細長い方形の孔２２が複数個形成されている。これらの孔１２，２２の上流部分は、図１（ｂ）の溜部３２に水が流入するのを許容すると共に夾雑物Ａが落下するのを許容する夾雑物落下孔４を構成する。一方、前記孔１２，２２の下流部分は、溜部３２に落下して溜まった夾雑物Ａが本体部３１内に流れ出るのを抑制すると共に、水が溜部３２から本体部３１内に流れ出るのを許容する流体通過孔５を構成する。
【００１１】
つぎに、夾雑物Ａを捕集するメカニズムについて説明する。
砂や金属粉等の水よりも比重の大きい夾雑物Ａは、水道管３内の底部を流れると共に、図１（ｂ）に示すように、毛球状の塊となって運ばれてくる。溜部３２においては、管路の断面積が大きくなっており、流速分布が変化すると共に、全体に流速が低下する。この流速の低下により、夾雑物Ａが下方に落下し易くなり、夾雑物Ａが夾雑物落下孔４から溜部３２に落下して捕集される。なお、夾雑物Ａは第１半円環状部材１の下流の流体通過孔５からも若干溜部３２に落下する。また、溜部３２に捕集された夾雑物Ａはドレン孔３３に装着した排出用バルブを開放して、水と共に除去される。
【００１２】
一方、水の大部分は本体部３１内を下流に向って流れるが、水の一部は本体部３１内から夾雑物落下孔４を経て溜部３２内を通り、流体通過孔５から再び本体部３１内に流れ込む。ここで、水の使用量が多いときや急激に多くなる際には、本体部３１内の下流の圧力が低下して、溜部３２の水が本体部３１の下流に流れ出るのであるが、流体通過孔５を設けているので、溜部３２内の夾雑物Ａが流体通過孔５から流出するのを抑制し得る。
【００１３】
前記構成においては、溜部３２による捕集を補助する第１半円環状部材１が内壁面３６に沿った半円環状であるから、ポリピグをそのまま通すことができる。
【００１４】
また、第１および第２半円環状部材１，２に設けた夾雑物落下孔４および流体通過孔５は、メッシュ状ではないから、夾雑物落下孔４および流体通過孔５が夾雑物Ａで目詰まりするおそれもない。
【００１５】
図３および図４は第２実施形態を示す。
本実施形態では、本体部３１における溜部３２に対向する部分が径方向に若干膨出した芯ズレ部３７を設けている。第１半円環状部材１は、前記膨出した本体部３１（芯ズレ部３７）の内壁面とで略円筒状の面を形成しており、したがって、この部分の流路Ｌ２は上流および下流の流路Ｌ１，Ｌ３に対して若干上方に偏心している。一方、第２半円環状部材２は、第１半円環状部材１よりも管軸方向に長く、水道管３における上流の内壁面３６に連なるように湾曲している。前記第１半円環状部材１と本体部３１との間には、夾雑物落下孔４および流体通過孔５が設けられている。また、前記第２半円環状部材２には、図３のように、たとえば４つの方形状の孔２３が穿設されており、夾雑物落下孔４および流体通過孔５を構成している。
【００１６】
本実施形態では、図３の本体部３１に芯ズレ部３７を設けているので、上流からの流速の分布が分散されて、第１半円環状部材１および第２半円環状部材２の間の流れは遅くなる。そのため、塊状の夾雑物Ａがばらけると共に、夾雑物Ａが第１半円環状部材１と第２半円環状部材２の間を流れる際に、下方に落下し易くなる。したがって、夾雑物Ａの捕集効果が向上する。
【００１７】
本発明において、本体部３１および第１半円環状部材１は、図５のように、管軸方向に若干湾曲していてもよい。また、図６および図７のように、第２半円環状部材２を設けなくてもよい。また、第１半円環状部材１は図６のように、溜部３２側に若干偏心していてもよい。更に、第１半円環状部材１は、図７のように上流側と下流側とで異なる形状を有していてもよい。
【００１８】
また、第１半円環状部材１の流体通過孔５は、円筒面を形成しており、管軸方向に対向していないので、メッシュで構成しても直ちに目詰まりを生じないから、メッシュや多数の小孔で構成してもよい。なお、この場合、逆洗用の水排出孔３８を設け、該水排出孔３８に開閉弁（図示せず）を装着して、開閉弁を開放することによりメッシュの逆洗を行ってもよい。
【００１９】
また、本発明においては、図１の第１半円環状部材１および第２半円環状部材２の孔１２，２２の形状や数を限定するものではない。また、本発明においては、第１半円環状部材１および第２半円環状部材２の装着構造を限定するものではない。
【００２０】
【発明の効果】
以上説明したように、本発明によれば、第１半円環状部が水道管本体部の内壁面とで円筒面を形成しているので、ポリピグを通すことができると共に、第１半円環状部材が管軸に直交していないから、目詰まりを生じるおそれもない。
【図面の簡単な説明】
【図１】  本発明の夾雑物捕集装置の第１実施形態を示す横断面図および縦断面図である。
【図２】  同平面断面図である。
【図３】  第２実施形態を示す横断面図および縦断面図である。
【図４】  同平面断面図である。
【図５】  第３実施形態を示す縦断面図である。
【図６】  第４実施形態を示す縦断面図である。
【図７】  第５実施形態を示す縦断面図である。
【図８】  ポリピグの側面図である。
【符号の説明】
１：第１半円環状部材
２：第２半円環状部材
３：水道管
３１：本体部
３２：溜部
３６：内壁面
４：夾雑物落下孔
５：流体通過孔
【図１】
0003739502.tif 000002
【図２】
0003739502.tif 000003
【図３】
0003739502.tif 000004
【図４】
0003739502.tif 000005
【図５】
0003739502.tif 000006
【図６】
0003739502.tif 000007
【図７】
0003739502.tif 000008
【図８】
0003739502.tif 000009